(57)【特許請求の範囲】
【請求項１】
貫通孔が形成された機器外装体と、
前記貫通孔に挿入して前記機器外装体に固定された挿入筒部、及びこの挿入筒部と一体で前記機器外装体の外部に配置されるとともに雄ねじ部及びストッパ部が設けられた外配置筒部を備えるパイプと、
前記ストッパ部に接離される係止部、ボタン押込み用の凹部、及び雌ねじ部を夫々備え、前記雌ねじ部を前記雄ねじ部に螺合しかつ前記外配置筒部を覆って前記パイプの軸方向に移動可能に取付けられたロック部材と、
前記パイプを貫通した軸部、及び前記凹部の底面と対向する対向部を有して前記機器外装体の外部に位置されたヘッドを備えて軸方向に移動可能に設けられた押しボタンと、
この押しボタンを前記機器外装体の外部に向けて付勢するばねと、
前記軸部の前記機器外装体の内部に位置された軸端部に取付けられて前記押しボタンを前記パイプから抜け止めする止め輪と、
を具備し、
前記ロック部材が前記機器外装体に接して位置決めされた状態での前記ストッパ部とこれに対向した前記係止部との離間距離Ａ、及び同状態での前記底面と前記対向部との離間距離Ｂが、Ａ≦Ｂの関係であり、
前記ストッパ部が、前記外配置筒部とは別体でかつ前記軸部及び前記ばねが貫通するリングで形成されていて、前記外配置筒部に取外し可能に螺合されていることを特徴とする携帯機器。
ることを特徴とする携帯機器。
【請求項２】
前記離間距離Ｂが前記離間距離Ａより大きいことを特徴とする請求項１に記載の携帯機器。
【請求項３】
前記外配置筒部が大径部位とこれに連続した小径部位を有していて、前記大径部位に前記雄ねじ部が設けられ、前記小径部位に前記雄ねじ部より小径な他の雄ねじ部が設けられていて、前記他の雄ねじ部に前記ストッパ部が螺合されていることを特徴とする請求項１に記載の携帯機器。
【請求項４】
前記外配置筒部の外周径が各部同じで、この外配置筒部の略全長にわたり前記雄ねじ部が形成されていて、この雄ねじ部に前記ロック部材と前記ストッパ部が夫々螺合されていることを特徴とする請求項１に記載の携帯機器。
【請求項５】
前記係止部の内周に前記雌ねじ部が設けられていることを特徴とする請求項４に記載の携帯機器。
【請求項６】
前記ロック部材が前記機器外装体に接して位置決めされた状態で前記ロック部材の先端から露出されるとともに、前記ストッパ部に前記係止部が接離された状態で前記ロック部材の先端部で覆われる目印が、前記ヘッドに設けられていることを特徴とする請求項１から５のうちのいずれか一項に記載の携帯機器。
【請求項７】
請求項１から６のうちのいずれか一項の携帯機器で形成された携帯時計。
【発明の詳細な説明】
【技術分野】
【０００１】
本発明は、押しボタンを備えた携帯機器及び携帯時計に関する。
【背景技術】
【０００２】
腕時計や懐中時計などの携帯時計、ストップウオッチ、携帯電話、携帯型情報端末機などの携帯機器の中には、例えば機器外装体内の接点等を動作させる押しボタンを機器外装体に取付けたものがある。押しボタンが所定ストローク押込まれることによって、例えば携帯時計では、文字板の照明、又は時計表示をアナログ表示からデジタル表示に或いはこの逆に切換えることができ、或いは、デジタル表示された日付や曜日を修正することができる。
【０００３】
この種の携帯機器は、押しボタンがその押込み方向と逆方向にばねで付勢されているので、このばねの力でパイプから押しボタンが外側に抜けないように構成されている。そのための構成として、機器外装体に固定されたパイプを通って機器外装体の内部に達した押しボタンの端部に、パイプの端に引っ掛かるＣ型やＥ型の止め輪が取付けられている。
【０００４】
こうした構成を前提として、従来の携帯機器は、押しボタンの誤操作を防止するためのロック部材を備えている。ロック部材は、その内周に形成された雌ねじ部を、機器外装体に固定されたパイプの外周に形成した雄ねじ部に螺合させて、これらねじ部の噛み合いの変化により、ロック位置と非ロック位置とにわたって移動可能に設けられている（例えば、特許文献１参照。）。
【０００５】
この構成においてロック部材が非ロック位置に移動されると、パイプを貫通した押しボタンのヘッドからロック部材が離れる。このため、その離れた距離に相当するストロークで押しボタンの押し込み操作が許容される。この逆に、ロック部材がロック位置に移動されると、ロック部材が押しボタンのヘッドに接した状態となる。これにより、押しボタンの押し込みが防止される。
【０００６】
更に、ロック状態と非ロック状態とで押しボタンの外観が変わることがなく、しかも、ロック状態でも雌雄のねじ部にゴミが侵入し難くなるようにした従来技術も知られている（例えば、特許文献２参照。）。
【０００７】
この従来技術では、機器外装体に固定されたパイプの外周にロック部材を軸方向に移動可能に嵌合し、このロック部材を覆う回転リングをパイプに対して軸方向に移動できないように保持している。そして、回転リングの内周に形成された雌ねじ部はロック部材の外周に形成された雄ねじ部に螺合されている。そのため、これらねじ部の噛み合いの変化により、ロック部材をロック位置と非ロック位置とにわたって移動させることができる。
【０００８】
この構成において回転リングが回転操作されるに伴いロック部材が非ロック位置に移動されると、パイプを貫通した押しボタンのヘッドからロック部材が離れる。このため、ロック部材とヘッドとの離間距離に相当するストロークで、押しボタンの押し込み操作が許容される。この逆に、回転リングの回転によりロック部材がロック位置に移動されると、このロック部材が押しボタンのヘッドに接した状態となる。これにより、押しボタンの押し込みが防止される。
【先行技術文献】
【特許文献】
【０００９】
【特許文献１】特開２００３−７１６４号公報
【特許文献２】特開２００４−３１９４４６号公報
【発明の概要】
【発明が解決しようとする課題】
【００１０】
従来の技術は、押しボタンを、これに取付けられた止め輪が機器外装体内においてパイプの端に引っ掛かることで位置決めし、この状態の押ボタンのヘッドに、ロック位置に移動されたロック部材が接触するように構成されている。こうして押しボタンがロックされた状態でも、雄ねじ部と雌ねじ部との噛み合った状態は維持されている。
【００１１】
ところで、ロック部材がロック位置に達することに引き続いて、雌ねじ部を有したロック部材又は回転リングが操作者により誤って過度に回転操作されることがある。
このような誤操作は次の理由により可能である。つまり、止め輪の強度は、さほど大きくなく、止め輪の弾性変形も比較的容易であり、しかも、止め輪は切れ目を有しているので縮径するように変形可能である。このため、ロック部材がロック位置に達したことが、止め輪の弾性変形により使用者にとって感知し難い。このことに起因して既述のようにロック部材又は回転リングが誤操作されることがある。
【００１２】
こうしてロック部材又は回転リングが誤って過度に回転操作された場合、それに伴って、変形された止め輪がパイプの内部に引き込まれることがある。その結果、誤操作後における押しボタンの円滑な軸方向移動が阻害されるおそれが考えられる。特に、操作性を向上するために、ロック部材又は回転リングの外径がより大きく設計されている場合は、既述の誤操作による回転トルクが増える。これに伴い、止め輪の変形がより容易となって、止め輪がよりパイプの内部に引き込まれる可能性が高い。しかも、既述の誤操作がもたらす不具合は、ロック部材又は回転リングの外径をより大きく設計することを妨げる因子となっている。
【００１３】
なお、既述の不具合への対策として、止め輪の肉厚を厚くし、或いは高強度の材料で止め輪を形成することで、止め輪を変形し難くすることが考えられる。しかし、このようにすることは、新たに開発を要する専用の止め輪が用いるので、コスト高になる。加えて、押しボタンの軸部に対する止め輪の着脱作業が面倒となり、押しボタンまわりを分解して掃除する場合の作業性を大きく低下させることになる。したがって、好ましい対策ではない。
【００１４】
本発明の目的は、ロック部材が押しボタンの押込みを妨げるロック位置に移動された状態で、このロック部材が誤って過度に回転操作されることを防止可能な携帯機器及び携帯時計を提供することにある。
【課題を解決するための手段】
【００１５】
前記課題を解決するために、本発明の携帯機器は、貫通孔が形成された機器外装体と、前記貫通孔に挿入して前記機器外装体に固定された挿入筒部、及びこの挿入筒部と一体で前記機器外装体の外部に配置されるとともに雄ねじ部及びストッパ部が設けられた外配置筒部を備えるパイプと、前記ストッパ部に接離される係止部、ボタン押込み用の凹部、及び雌ねじ部を夫々備え、前記雌ねじ部を前記雄ねじ部に螺合しかつ前記外配置筒部を覆って前記パイプの軸方向に移動可能に取付けられたロック部材と、前記パイプを貫通した軸部、及び前記凹部の底面と対向する対向部を有して前記機器外装体の外部に位置されたヘッドを備えて、軸方向に移動可能に設けられた押しボタンと、この押しボタンを前記機器外装体の外部に向けて付勢するばねと、前記軸部の前記機器外装体の内部に位置された軸端部に取付けられて前記押しボタンを前記パイプから抜け止めする止め輪と、を具備し、前記ロック部材が前記機器外装体に接して位置決めされた状態での前記ストッパ部とこれに対向した前記係止部との離間距離Ａ、及び同状態での前記底面と前記対向部との離間距離Ｂが、Ａ≦Ｂの関係であることを特徴としている。
【００１６】
本発明の携帯機器は、腕時計や懐中時計などの携帯時計、ストップウオッチ、携帯電話、携帯型情報端末機等に適用でき、その機器外装体とは外装ケース等を指している。本発明で、パイプのストッパ部は、パイプの外配置筒部と一体に形成されていても、外配置筒部とは別体で外配置筒部の外周に取付けられた構造物で形成されていてもよい。本発明で、ロック部材の係止部は、ロック部材の内周に周方向に沿って途切れることなく突出された環状部で形成することができ、或いは、同様に設けられた他の環状部で兼ねることも可能である。
【００１７】
本発明で、押しボタンのヘッドが有した対向部は、ヘッドの裏側の端面を利用することが好ましい。しかし、ヘッドの周部外周を、ヘッドの表面と反対の裏側から切削し、それにより形成された環状の薄肉周部の根元に対して直角に連続する面を、対向部とすることも可能である。更に、対向部は面以外の構成であっても差し支えない。本発明で、止め輪には、Ｃ型又はＥ型の止め輪を使用することができる。
【００１８】
本発明で、ばねが押しボタンを機器外装体の外方に付勢するとは、押しボタンが機器外装体の正面から押込まれるように設けられる場合、ばねが押しボタンを上方に付勢することを指し、又、押しボタンが機器外装体の側面から押込まれる場合、ばねが押しボタンを外側方に付勢することを指している。
【００１９】
本発明で、使用者等によりロック部材が回転操作されることで、この部材の雌ねじ部とパイプの雄ねじ部との噛み合いの変化に伴って、ロック部材が非ロック位置とロック位置とに移動される。
【００２０】
ロック部材が非ロック位置に移動された状態で、ロック部材の係止部はパイプのストッパ部から離れている。これとともに、同状態で、ロック部材が有したボタン押込み用の凹部の底面は、押しボタンが有したヘッドの対向部から離れている。このため、押しボタンを押込み操作することが可能である。押込まれた押しボタンの軸部によって、機器外装体内に配設されている例えば接点等のボタン応答部材を動作させることができる。
【００２１】
ロック部材がロック位置に移動された状態で、ロック部材が有したボタン押込み用の凹部の底面は、押しボタンが有したヘッドの対向部に近接又は接している。これにより、ボタン押込み用凹部の底面がストッパとなって、押しボタンを押込まれないように保持できる。
【００２２】
これとともに、ロック部材がロック位置に移動された状態で、ロック部材の係止部はパイプのストッパ部に接している。パイプの挿入筒部は機器外装体に固定されているので、結局のところ、係止部とストッパ部の接触（係合）によって、それ以上、ロック部材が機器外装体から離れないように、このロック部材は機器外装体に位置決めされた状態に保持されている。
これにより、使用者等がロック位置に移動されたロック部材を更に回転させようと試みても、ロック部材が誤った方向に回転されることが妨げられる。即ち、ロック位置に移動されたロック部材の誤操作を防止できる。
【００２３】
この場合、仮に、雌ねじ部と雄ねじ部との螺合部での噛み合いの遊びに基づくロック部材の回転が若干可能であるとしても、そのときにロック部材を移動させようとする力は、パイプを介して機器外装体で支持される。このため、ボタン押込み用凹部の底面が押しボタンの対向部を強く押すことが防止される。
したがって、本発明によれば、押しボタンを介して止め輪に過負荷が掛からないようにでき、それに伴って、止め輪が変形してパイプ内に引き込まれるおそれをなくすことが可能である。
【００２４】
本発明の携帯機器の好ましい形態は、前記発明において、更に、前記離間距離Ｂが前記離間距離Ａより大きいことを特徴としている。
この好ましい形態では、ロック部材がストッパ部で位置決めされた状態で、ボタン押込み用の凹部の底面と押しボタンの対向部との間に隙間が形成される。このため、パイプの雄ねじ部とロック部材の雌ねじ部との噛み合いに遊びがあって、それを原因として、ロック位置に配置されたロック部材が誤った方向に回転操作されることがあっても、ロック部材が押しボタンの対向部を押すことがない。このため、止め輪が変形してパイプ内に引き込まれるおそれを、より確実になくすことが可能である。
【００２５】
本発明の携帯機器の好ましい形態は、前記ストッパ部が、前記外配置筒部とは別体でかつ前記軸部及び前記ばねが貫通するリングで形成されていて、前記外配置筒部に取外し可能に螺合されていることを特徴としている。
この好ましい形態では、前記発明において、更に、パイプが有するストッパ部を、機器外装体に固定されたパイプの外配置筒部から取外すことで、ストッパ部に接離される係止部を有したロック部材を外配置筒部から外すことが可能となる。これにより、雌ねじ部と雄ねじ部との螺合部等を分解して掃除することが可能である。
【００２６】
本発明の携帯機器の好ましい形態は、前記発明において、更に、前記外配置筒部が大径部位とこれに連続した小径部位を有していて、前記大径部位に前記雄ねじ部が設けられ、前記小径部位に前記雄ねじ部より小径な他の雄ねじ部が設けられていて、前記他の雄ねじ部に前記ストッパ部が螺合されていることを特徴としている。
この好ましい形態では、外配置筒部の小径部位の外周にストッパ部が螺合されているので、このストッパ部を覆うロック部材の内径を小さくでき、それに応じてロック部材の外径も小さくすることが可能である。これにより、手回し操作されるロック部材の外径が小さいことが要求される携帯機器例えば厚みの薄い携帯時計として実施する上で、この発明の形態は好適である。
【００２７】
本発明の携帯機器の好ましい形態は、前記発明において、更に、前記外配置筒部の外周径が各部同じで、この外配置筒部の略全長にわたり前記雄ねじ部が形成されていて、この雄ねじ部に前記ロック部材と前記ストッパ部が夫々螺合されていることを特徴としている。
この好ましい形態では、外配置筒部の最大外径を規定する雄ねじ部にストッパ部が螺合されているので、このストッパ部を覆うロック部材の内径が大きくなり、それに応じてロック部材の外径も大きくなる。これにより、手回し操作されるロック部材の外径が大きいことが要求される携帯機器例えば厚みの厚い携帯時計として実施する上で、この発明の形態は好適である。
これとともに、ロック部材を回転操作する際のトルクが増えてロック部材の操作性を向上できる。それにも拘らず、既述のようにパイプ内に止め輪を引き込むような力が押しボタンに与えられることを防止できる。しかも、パイプの外配置筒部の外周に対するねじ部の加工が一度でよいので、パイプの加工コストを低減することが可能である。
【００２８】
本発明の携帯機器の好ましい形態は、前記発明において、更に、前記係止部の内周に前記雌ねじ部が設けられていることを特徴としている。
この好ましい形態では、雌ねじ部とは別にこれに係止部を並べてロック部材に形成する加工を省略できる。これにより、ロック部材の加工コストを低減することが可能である。
【００２９】
本発明の携帯機器の好ましい形態は、前記発明において、更に、前記ロック部材が前記機器外装体に接して位置決めされた状態で前記ロック部材の先端から露出されるとともに、前記ストッパ部に前記係止部が接離された状態で前記ロック部材の先端部で覆われる目印が、前記ヘッドに設けられていることを特徴としている。
この好ましい形態では、押しボタンがばねに抗して押込まれた場合、ヘッドの目印はロック部材の内部に没入して配置される。この逆に、ばねの力で押しボタンが押し戻された場合、ヘッドの目印はロック部材の外部に配置される。このため、押しボタンの押込みが完了したこと、又は、押しボタンが押込み可能であるのかどうかを、目印によって使用者に知らせることが可能である。
【００３０】
前記課題を解決するために、本発明の携帯時計は、前記各発明のうちのいずれかの発明の携帯機器で形成されている。
本発明によれば、前記各発明のうちのいずれかの発明の携帯機器で携帯時計が形成されているので、ロック部材が押しボタンの押込みを妨げるロック位置に移動された状態で、このロック部材が誤って過度に回転操作されることを防止可能な携帯時計を提供できる。
【発明の効果】
【００３１】
本発明によれば、ロック部材が押しボタンの押込みを妨げるロック位置に移動されたときに、機器外装体に固定されたパイプを介してロック部材を機器外装体に位置決めし、それ以上ロック部材が移動されないようにした構成を備えたので、ロック位置に移動された状態のロック部材が誤って過度に回転操作されることを防止可能な携帯機器及び携帯時計を提供できる。
【図面の簡単な説明】
【００３２】
【図１】本発明の第１の実施の形態に係る腕時計を示す正面図である。
【図２】図１の腕時計をその一部を分解した状態で示す斜視図である。
【図３】図１の腕時計が備える押しボタンが押込み可能な状態で図１中矢印Ｆ−Ｆ線に沿って示す断面図である。
【図４】図１の腕時計が備える押しボタンの押込みが妨げられた状態で図１中矢印Ｆ−Ｆ線に沿って示す断面図である。
【図５】本発明の第２の実施の形態に係る腕時計を示す図４相当の断面図である。
【図６】本発明の第３の実施の形態に係る腕時計を示す図４相当の断面図である。
【図７】本発明の第４の実施の形態に係る腕時計を示す図４相当の断面図である。
【発明を実施するための形態】
【００３３】
本発明の第１の実施の形態を図１から図４を参照して説明する。
図１から図４中符号１１は携帯機器例えば携帯時計具体的には防水時計として使用される腕時計を示している。腕時計１１は機器外装体例えば時計外装体１２を備えている。
図３及び図４に示すように時計外装体１２内に、表示板例えば文字板１３、表示を制御する機器例えば時刻表示用の針の動きを制御するムーブメント１４、図示しないランプ、及び電源として図示しない電池等の所要部材が収められている。
【００３４】
ムーブメント１４は、ボタン応答部材例えば接点１５を、少なくとも一個例えば２個（図２及び図４に夫々１個のみ図示する）有している。これらの接点１５は、板ばね等で形成されていて、ムーブメント１４の外周から突出されている。接点１５が後述の押しボタン６１で押されることによって、ムーブメント１４等が夫々の押しボタン６１に与えられた機能を発揮するようになっている。例えば、図１及び図２中右上の押しボタン６１はスタート・ストップの機能を分担し、図１及び図２中右下の押しボタン６１はランプの点灯・消灯をする機能を分担している。
【００３５】
図３及び図４に示すように時計外装体１２は、ステンレス鋼やチタンなどの金属により環状に作られた胴２１の正面に、文字板１３を透視させるカバーガラス２２を液密に装着するとともに、胴２１の裏面に、金属や合成樹脂などから作られた裏蓋２３を液密に装着して形成されている。
なお、図３及び図４中符号２５はムーブメント１４を支持する中枠を示している。更に、図３及び図４中符号２６,２７は夫々時計外装体１２の液密を保持するためのパッキンを示している。又、図１及び図２中符号２８は竜頭を示している。
【００３６】
次に、時計外装体１２の所定箇所例えばこの時計外装体１２の側壁をなす胴２１の二箇所に後述の押しボタン６１を配設する構成を説明する。両押しボタン６１とそれらを時計外装体１２に配設する構成は同じであるため、ここでは図３及び図４を参照して文字板１３を照明するランプの点灯・消灯を担う押しボタン６１を胴２１に配設する構成を代表して説明する。
【００３７】
胴２１は凹部３１と貫通孔３３を有している。凹部３１は胴２１の胴外面（外装体外側面）２１ａに開放して形成されている。貫通孔３３は、その一端を凹部３１の底面に開放するとともに、他端を時計外装体１２の内面例えば胴内面（外装体内側面）２１ｂに開放して形成されている。凹部３１及びこれより小径の貫通孔３３は、いずれも円形であるとともに、同心的に設けられている。
【００３８】
胴２１に円形のパイプ３５が固定されている。パイプ３５は、ステンレス鋼やチタンなどの金属製であって、挿入筒部３６と、これと一体の外配置筒部３７とで形成されている。挿入筒部３６の先端部は縮径されている。なお、パイプ３５は、それに後述のストッパ部４０を一体形成する場合、金属製に限らず、合成樹脂製とすることも可能である。
【００３９】
外配置筒部３７の外周に雄ねじ部３８，３９とストッパ部４０が設けられている。
外配置筒部３７は、大径部位３７ａとこれに連続した小径部位３７ｂを有している。大径部位３７ａは、挿入筒部３６の最大外径より大径であって、挿入筒部３６に連続している。小径部位３７ｂは、大径部位３７ａを境に挿入筒部３６と反対側で大径部位３７ａに連続している。この小径部位３７ｂの外径は挿入筒部３６の最大外径と略同じである。外配置筒部３７の内面にパッキン収容溝３７ｃが形成されていて、このパッキン収容溝３７ｃは外配置筒部３７の先端に開放されている。
【００４０】
パイプ３５の挿入筒部３６は胴２１の外側から貫通孔３３に挿入されている。この場合、大径部位３７ａが凹部３１の底面３１ａに接するまで挿入筒部３６が挿入されているとともに、この挿入筒部３６の縮径された先端部は例えば胴２１の内部に突出されている。このパイプ３５は金属製のろう材３４により胴２１に固定されている。ろう材３４は、凹部３１の底面３１ａと貫通孔３３とがなす角部に形成された環形の溝に納められている。
【００４１】
こうして時計外装体１２に固定されたパイプ３５の外配置筒部３７は、凹部３１の中央部に位置して胴２１の外部、つまり、時計外装体１２の外部に配置されている。外配置筒部３７の大径部位３７ａの外周部に雄ねじ部３８が形成されている。この雄ねじ部３８は後述するロック部材５１を軸方向に進退させるために設けられている。更に、外配置筒部３７の小径部位３７ｂの外周部に他の雄ねじ部３９が形成されている。他の雄ねじ部３９はストッパ部４０を取付けるために設けられている。
【００４２】
ストッパ部４０は例えば外配置筒部３７と別体の部品からなる。ストッパ部４０は、金属製で、中央孔４０ａを有したリングで形成されており、その外径は雄ねじ部３８の外径より大きい。中央孔４０ａの径はパッキン収容溝３７ｃの開放端の径と略同じである。
【００４３】
ストッパ部４０の内周面に雌ねじ部４１が形成されている。この雌ねじ部４１を外配置筒部３７の先端部に形成された他の雄ねじ部３９に螺合させることによって、ストッパ部４０が外配置筒部３７の先端部を覆って取付けられている。この場合、外配置筒部３７の先端にストッパ部４０の底壁が接することによって、ストッパ部４０は外配置筒部３７の軸方向に位置決めされている。こうして取付けられたストッパ部４０の中央孔４０ａはパッキン収容溝３７ｃに連続している。
【００４４】
ストッパ部４０の底壁外面に溝４２が設けられている。溝４２は十の字に交叉するように形成されていて、この溝４２に工具を係合させた状態でストッパ部４０を回転させることができるようになっている。このため、ストッパ部４０は取外し可能に外配置筒部３７に螺合されている。
【００４５】
外配置筒部３７にこれを覆うロック部材５１がパイプ３５の軸方向に移動可能に取付けられている。
詳しくは、ロック部材５１は、小径部５１ａと大径部５１ｂを有して外周面が段付き形状をなす金属製のリングで形成されている。このロック部材５１は、雌ねじ部５２と、ボタン押込み用の凹部５３と、中間凹部５４と、係止部５５を備えている。
雌ねじ部５２は小径部５１ａの内面に形成されている。凹部５３は、大径部５１ｂの内面に、この大径部５１ｂと同心的に形成されていて、大径部５１ｂの端面に開放されている。
【００４６】
中間凹部５４は、雌ねじ部５２と凹部５３との間に形成されていて、凹部５３の底面５３ａに直角に連続されている。このため、凹部５３の底面５３ａは、凹部５３の内周面と中間凹部５４との間の段差を形成している。ボタン押込み用の凹部５３及び中間凹部５４の内径は雌ねじ部５２より大きい。凹部５３の内径は後述するヘッド６３の外径より若干大きい。中間凹部５４の内径は、凹部５３の内径より小さく、かつ、ロック部材５１の外径より若干大きい。
【００４７】
係止部５５は、雌ねじ部５２と中間凹部５４との間に設けられている。この係止部５５は、ロック部材５１の周方向に切れ目なく連続した環状の凸部で形成されていて、中間凹部５４の底を仕切っている。
【００４８】
ロック部材５１は、その雌ねじ部５２をパイプ３５の雄ねじ部３８に螺合させて、外配置筒部３７に取付けられていて、この外配置筒部３７を覆っている。ロック部材５１の小径部５１ａは凹部３１に収容されている。又、ロック部材５１の大径部５１ｂは凹部３１外に配置されている。以上のようにロック部材５１がパイプ３５に支持された状態で、このロック部材５１の係止部５５は、雄ねじ部３８及び雌ねじ部５２の螺合部とストッパ部４０との間に配設されている。
【００４９】
なお、小径部５１ａの先端部外周に、この外周と凹部３１の内周面との間をシールする防塵及び防水用のパッキン５７が取付けられている。又、大径部５１ｂの外周に、ロック部材５１を手回し操作する際に指が滑らないようにするための複数の切溝５６が、ロック部材５１の軸方向と平行に設けられている。
パイプ３５に押しボタン６１が支持されている。押しボタン６１は、金属又は合成樹脂の一体成形品であって、軸部６２とヘッド６３を備えている。
【００５０】
軸部６２は、円柱状であって、パイプ３５の軸長より長い。この軸部６２はパイプ３５を軸方向に移動可能に貫通していて、胴２１の内部に突出された軸部６２の軸端部（先端部）に、パイプ３５から押しボタン６１を抜け止めする止め輪６４が取付けられている。止め輪６４は、金属製でＣ型又はＥ型であって、胴２１の内部に突出された挿入筒部３６の端面に引っ掛かる大きさを有している。
【００５１】
軸部６２の他の軸端に一体に設けられたヘッド６３の外径は、ボタン押込み用の凹部５３の内径より僅かに小さい。このヘッド６３は対向部６５を有している。対向部６５は例えばヘッド６３の裏側の端面で形成されている。更に、ヘッド６３の外周に目印６６が設けられている。この目印６６は、ヘッド６３の周方向に沿って連続しかつヘッド６３の外周面に開放する環状溝の底に、ヘッド６３をなした金属の地肌色とは異なる色の塗料を塗って形成されている。
【００５２】
押しボタン６１の軸部６２を胴２１の外側からパイプ３５に挿入して貫通させた後に、胴２１の内部に突出された軸部６２の軸端部に止め輪６４を取付けることにより、押しボタン６１が、パイプ３５に対して抜け止めされた状態に取付けられている。この取付けに伴って、ヘッド６３は、時計外装体１２の外部でかつボタン押込み用の凹部５３内に嵌入して配置される。これとともに、対向部６５が凹部５３の底面５３ａに対向される。
【００５３】
パイプ３５のパッキン収容溝３７ｃに、防水及び防塵のための少なくとも一個のパッキン７１、例えば複数のパッキン７１がパイプ３５の軸方向に並べて収容されている。各パッキン７１は弾性変形が可能なゴム系又はプラスチックス系の材料でリング状に形成されている。パッキン７１は軸部６２の周面に密接されている。このパッキン７１によりパイプ３５と押しボタン６１との間がシールされている。
【００５４】
更に、パッキン収容溝３７ｃにパッキン押さえ７２が収容されていて、このパッキン押さえ７２は最も外側のパッキン７１に接している。パッキン押さえ７２とヘッド６３との間にばね例えばコイルばね７３が圧縮状態に挟まれている。コイルばね７３は、押しボタン６１が押し込まれることにより更に圧縮可能である。
【００５５】
このコイルばね７３のばね力によって、押しボタン６１が時計外装体１２の外部に向けて、具体的には胴２１の外側方に向けて付勢されている。それにより、止め輪６４が時計外装体１２の内部に突出されたパイプ３５の端面に引っ掛かった状態に保持される。なお、コイルばね７３のばね力は、各パッキン７１を時計外装体１２の内部に向けて押えるので、これらパッキン７１は軸部６２により強く密接されてシール性が向上される。
【００５６】
次に、胴２１に固定されたパイプ３５のまわりに種々の部品を取付ける手順を説明する。
まず、パイプ３５の小径部５１ａの先端が凹部３１の底面３１ａに接するまで、パイプ３５の雄ねじ部３８にロック部材５１の雌ねじ部５２をねじ込んで、パイプ３５の外配置筒部３７をロック部材５１で覆う。
【００５７】
次に、外配置筒部３７の先端にストッパ部４０が当たるまで、パイプ３５の雄ねじ部３９にストッパ部４０の雌ねじ部４１をねじ込んで、このストッパ部４０を外配置筒部３７の先端部に取付ける。このとき、取付け後においてストッパ部４０が不用意に回転しないように、ストッパ部４０をねじ込む前に雌ねじ部４１に接着剤を塗布しておくことにより、雌ねじ部４１を雄ねじ部３９に接着止めすることが好ましい。この場合の接着力は、雌ねじ部４１と雄ねじ部３９の螺合を必要に応じて解除できる程度に設定するとよい。
【００５８】
最後に、押しボタン６１を取付ける。つまり、コイルばね７３、パッキン押さえ７２、及びパッキン７１を、この記載順に押しボタン６１の軸部６２に嵌めてか、コイルばね７３の圧縮を伴いながら軸部６２をパイプ３５の胴２１の外部から貫通させる。これに伴って、コイルばね７３及び軸部６２がストッパ部４０の中央孔４０ａに通される。そして、胴２１の内部に突出された軸部６２の先端部に止め輪６４を取付けて、押しボタン６１の抜け止めをする。
【００５９】
又、腕時計１１を分解掃除する際にパイプ３５のまわりの部品を外すには、以上説明した取付けの手順とは逆の手順によって行うことが可能である。したがって、パイプ３５のまわりの部品を外して、雌ねじ部４１及び雄ねじ部３９の掃除やパッキン７１などの部品交換を行うことができる。
【００６０】
以上の構成を備えた腕時計１１において、押しボタン６１を使用可能な通常状態で、押しボタン６１は、このボタンの押込み方向と逆方向に押しボタン６１を付勢するコイルばね７３によって、図３に示す非ロック位置に配置されていて、押し込み可能な状態に保持されている。この場合、止め輪６４が挿入筒部３６の先端部に引っ掛かって押しボタン６１は外れ止めされている。
【００６１】
これとともに、前記通常状態では、ロック部材５１が最も深くねじ込まれていて、その小径部５１ａの先端は時計外装体１２の凹部３１の底面３１ａに接している。このため、ロック部材５１は時計外装体１２の胴２１に位置決めされた状態にある。
【００６２】
しかも、ロック部材５１が最も深くねじ込まれていることに伴い、相対的に押しボタン６１のヘッド６３の大部分がロック部材５１の外部に突出されているので、使用者は目印６６を視認可能である。このため、目印６６を視認した使用者は、押しボタン６１が押込み可能な状態にあることを知ることができる。
【００６３】
こうした通常状態で、ロック部材５１の係止部５５は、パイプ３５の雄ねじ部３８に接近されているとともに、パイプ３５のストッパ部４０から最も離れている。このときのストッパ部４０とこれに対向した係止部５５との離間距離をＡとする。これとともに、前記通常状態で、ロック部材５１が有した凹部５３の底面５３ａは、押しボタン６１のヘッド６３が有した対向部６５から最も離れている。このときの底面５３ａと対向部６５との離間距離をＢとする。そして、前記通常状態での離間距離Ａと離間距離ＢとはＡ≦Ｂの関係にあり、第１実施形態では好ましい例としてＡ＜Ｂの関係に設定されている。
【００６４】
離間距離Ａと離間距離Ｂによって押しボタン６１の押し込みが可能である。この押しボタン６１の押込みストロークは、離間距離Ａと離間距離Ｂのうちで少なくとも離間距離Ａにより規定されている。
【００６５】
押しボタン６１が胴２１の外側からコイルばね７３のばね力に抗して押し込まれた場合、軸部６２の先端６２ａがこれに対向して配設されている接点１５を押圧する。それにより、押しボタン６１に割り当てられた機能が発揮されるようにムーブメント１４が動作される。この後、押しボタン６１の押圧が解除されるに伴い、押しボタン６１はコイルばね７３のばね力で元の状態に押し戻される。
【００６６】
又、腕時計１１の携帯中等に押しボタン６１が不用意に押込まれないようにするには、ロック部材５１を弛む方向に回転させれば良い。これに伴う雄ねじ部３９と雌ねじ部５２との噛み合いの変化によって、ロック部材５１は、凹部３１の底面３１ａから離れて時計外装体１２の胴２１から突出するように軸方向に移動される。
【００６７】
こうしたロック部材５１の移動は、その係止部５５がパイプ３５のストッパ部４０に引っ掛かった状態に接触することで妨げられ、それ以上のロック部材５１の回転操作ができなくなる。こうしてロック部材５１がロック位置に移動された状態を図４に示す。この状態で、押しボタン６１が押込み力を受けた場合、ヘッド６３の対向部６５とボタン押込み用の凹部５３の底面５３ａとの接触により、押しボタン６１が押し込まれることが妨げられる。
【００６８】
しかも、回転されることによりロック部材５１が胴２１に対して最も突出されるに伴い、相対的に押しボタン６１のヘッド６３の大部分がロック部材５１の凹部５３内に没して、目印６６がロック部材５１の先端部である大径部５１ｂで覆い隠される。このように目印６６が隠されることで、使用者は、押しボタン６１の押込みができない状態にあることを知ることができる。
【００６９】
ところで、パイプ３５は、時計外装体１２の胴２１にろう付けで固定されている。このため、ロック部材５１がロック位置に移動された際にストッパ部４０に加わる負荷を、パイプ３５を介して胴２１で支持することができる。したがって、ストッパ部４０は移動されない。これに加えて、ストッパ部４０及び係止部５５は、いずれも切れ目なく周方向に連続した構成であり、止め輪６４と比較して遥かに強度が大きく変形し難い。このため、これらストッパ部４０及び係止部５５が変形されることもない。
【００７０】
したがって、ロック部材５１がロック位置に配置される際、ロック部材５１の軸方向移動を停止させる信頼性が高い。これに伴い、ロック部材５１の回転操作の終了時期を、使用者に対してより明確に感知させることが可能である。これとともに、前記信頼性の向上によりロック部材５１の大径部位３７ａの外径をより大きく形成することが可能である。こうした構成が採用された場合は、ロック部材５１を回転させる操作性をより改善できる。
【００７１】
しかも、第１実施形態では前記離間距離Ｂが前記離間距離Ａより大きい。このため、係止部５５がストッパ部４０と引っ掛かって、ロック部材５１がロック位置に配置された状態で、図４に示すようにボタン押込み用の凹部５３の底面５３ａとヘッド６３の対向部６５との間に僅かなギャップｇが確保される。
【００７２】
胴２１から離れる方向へのロック部材５１の移動量は、パイプ３１の雄ねじ部３８及びロック部材５１の雌ねじ部５２の寸法精度のばらつきや、パイプ３５に対するストッパ部４０の固定位置のばらつきなどに起因して、多少多めになることが考えられる。しかし、このような事態であっても、前記ギャップｇにより底面５３ａが対向部６５に接触することが妨げられて、ロック部材５１を押しボタン６１のヘッド６３に干渉しない状態に保持できる。
【００７３】
以上のようにロック部材５１が過剰に回転操作されることが防止されるとともに、ロック部材５１の移動量が多少ばらついても、ロック位置に移動されるロック部材５１が押しボタン６１のヘッド６３に干渉して、押しボタン６１が胴２１の外方に向けて押されることがない。
【００７４】
これにより、軸部６２に取付けられた止め輪６４がその変形を伴ってパイプ３５内に引き込まれるおそれがない。それに伴い、押しボタン６１が不用意に抜け出るおそれもない。そのため、ダイバーズウォッチ等の防水時計における押しボタン６１のロック機構としての信頼性を向上できる。
【００７５】
そして、以上のように止め輪６４がパイプ３５内に引き込まれるおそれがないので、ロック部材５１を非ロック位置に戻した状態での押しボタン６１の押込み操作に支障をきたすおそれがない。したがって、円滑に押しボタン６１を押込み操作することができる。
【００７６】
又、以上説明したようにパイプ３５の外配置筒部３７は、大径部位３７ａとこれに連続した小径部位３７ｂを有していて、大径部位３７ａに雄ねじ部３８が設けられ、小径部位３７ｂに雄ねじ部３８より小径な他の雄ねじ部３９が設けられていて、他の雄ねじ部３９にストッパ部４０が螺合されている。
【００７７】
このように外配置筒部３７の小径部位３７ｂの外周にストッパ部４０が螺合されている。このため、ストッパ部４０を覆うロック部材５１に形成された中間凹部５４の内径を小さくでき、それに応じて、ロック部材５１の外径を小さくすることが可能である。この構成は、押しボタン６１を備え、かつ、ロック部材５１の外径が小さいことが要求される厚みの薄い腕時計として実施する上で好適である。
【００７８】
図５は本発明の第２の実施の形態を示している。この第２実施形態の構成は以下の説明を除いて第１実施形態と同じであるので、第１実施形態と同じ構成又は同一の機能を奏する構成については、第１実施形態と同一符号を付して説明を省略する。
【００７９】
第２実施形態で、パイプ３５の外配置筒部３７の外周径は各部同じで、この外配置筒部３７の略全長にわたり雄ねじ部３８が形成されている。つまり、第１実施形態で説明した小径部位及びここに形成された雄ねじ部は省略されている。
【００８０】
第２実施形態で、ストッパ部４０は外配置筒部３７の先端部において雄ねじ部３８に螺合されている。これとともに、凹部３１の底面３１ａとロック部材５１との間においてロック部材５１が雄ねじ部３８に螺合されている。
【００８１】
更に、第２実施形態で、ロック部材５１の小径部５１ａ及び大径部５１ｂは、夫々第１実施形態と比較して大径であるとともに、小径部５１ａの外径に応じて凹部３１も大径に形成されている。以上説明した構成以外は第１実施形態と同じである。
したがって、第２実施形態でも、第１実施形態で説明した理由により本発明の課題を解決できる。加えて、以下の点で第２実施形態は第１実施形態よりも優れている。
【００８２】
第１に、パイプ３５の外配置筒部３７の外周面の形状が単純となり、パイプ３５に対する加工が容易となることに加えて、パイプ３５の外配置筒部３７の外周に対するねじ部の加工が一度の作業で済む。このため、パイプ３５の加工コストを低減することが可能である。
【００８３】
第２に、雄ねじ部３８にストッパ部４０を螺合させたので、このストッパ部４０の外径は雄ねじ部３８の外径、つまり、パイプ３５の最大外径より大きい。そのため、ストッパ部４０を覆うロック部材５１に形成された中間凹部５５の内径が大きく、それに応じてロック部材５１の外径も大きい。
【００８４】
したがって、この構成は、押しボタン６１を備え、かつ、ロック部材５１の外径が大きいことが要求される厚みの厚い腕時計として実施する上で好適である。これとともに、大径なロック部材５１の採用により、これを回転操作する際のトルクが増えて、ロック部材５１の操作性が向上される。それにも拘らず、既述のようにパイプ３５内に止め輪６４を引き込む過大な力が押しボタン６１に与えられることがない。
【００８５】
図６は本発明の第３の実施の形態を示している。この第３実施形態の構成は以下の説明を除いて第２実施形態と同じであるので、第２実施形態と同じ構成又は同じ機能を奏する構成については、第２実施形態と同一符号を付して説明を省略する。
【００８６】
第３実施形態で、ロック部材５１の係止部５５は、中間凹部５４の底を仕切ってこれから小径部５１ａの先端面までの範囲を占めて形成されている。係止部５５の内径は中間凹部５４の内径より小さい。係止部５５の側面５５ａは中間凹部５４の底面を兼ねている。この側面５５ａはストッパ部４０に接離する係合面として用いられている。更に、係止部５５の内周に雌ねじ部５２が設けられている。この雌ねじ部５２をパイプ３５の雄ねじ部３８に螺合して、ロック部材５１がパイプ３５に取付けられている。以上説明した構成以外は第２実施形態と同じである。
【００８７】
したがって、第３実施形態でも、第２実施形態で説明した理由により本発明の課題を解決できる。加えて、第３実施形態では、雌ねじ部５２と係止部５５を、ロック部材５１の軸方向に並べて別々に形成する加工を省略できるので、ロック部材５１の加工コストをより低減することが可能である点で、第２実施形態よりも優れている。
【００８８】
図７は本発明の第４の実施の形態を示している。この第４実施形態の構成は以下の説明を除いて第１実施形態と同じであるので、第１実施形態と同じ構成又は同じ機能を奏する構成については、第１実施形態と同一符号を付して説明を省略する。
第４実施形態で、パイプ３５の外配置筒部３７の小径部位３７ｂの外周に、ストッパ部４０が一体に形成されている。このストッパ部４０の外径は、雄ねじ部３８の外径より大きい。
【００８９】
更に、第４実施形態で、ロック部材５１は、第１部材要素５１ｃと第２部材要素５１ｄとの二部材で形成されている。
即ち、第１部材要素５１ｃはリング形状で、その内周に、パイプ３５の雄ねじ部３８に螺合する雌ねじ部５２が形成されているとともに、これからずれて係止部５５が設けられている。係止部５５の内径は、パイプ３５の雄ねじ部３８の外径より僅かに大きい。第１部材要素５１ｃの外周に雄ねじ部５１ｆが形成されている。
【００９０】
この第１部材要素５１ｃは、パイプ３５が胴２１にろう付けされる以前に、パイプ３５の挿入筒部３６側からパイプ３５の雄ねじ部３８に螺合して取付けられて、その係止部５５がストッパ部４０に接した位置決め状態に保持されるようになっている。
【００９１】
第２部材要素５１ｄは、内周に雌ねじ部５１ｇが形成された小径部５１ａと、外周に切溝５６を有した大径部５１ｂとを有している。この第２部材要素５１ｄの最小内径をなす中間凹部５４の内径は、ストッパ部４０の外径より大きい。第２部材要素５１ｄの内面に、係止部５５の根元に接する段部５１ｅが形成されている。
【００９２】
この第２部材要素５１ｄは、ストッパ部４０で位置決めされた状態に配置されている第１部材要素５１ｃの外周に、挿入筒部３６とは反対側からねじ込んで、第１部材要素５１ｃに連結されている。このときの第２部材要素５１ｄの回転方向は、第１部材要素５１ｃをストッパ部４０に接するまで挿入筒部３６側からねじ込む場合の第１部材要素５１ｃの回転方向と同じである。このため、第１部材要素５１ｃの雄ねじ部５１ｆと第２部材要素５１ｄの雌ねじ部５１ｇとの螺合が可能である。この螺合によって係止部５５の根元が段部５１ｅに接した状態にロック部材５１が組立てられる。
【００９３】
この場合、小径部５１ａの内周、つまり、小径部５１ａに形成された雌ねじ部５１ｆに接着剤を塗布して、第１部材要素５１ｃと第２部材要素５１ｄとが連結される。このため、ロック部材５１を非ロック位置とロック位置とにわたり移動させる際に、第１部材要素５１ｃと第２部材要素５１ｄとの連結は不用意に解除されることがない。なお、第１部材要素５１ｃと第２部材要素５１ｄとを接着する力を、雌ねじ部５１ｇと雄ねじ部５１ｆの螺合を必要に応じて解除できる程度に設定すると、押しボタン６１のまわりの部品を分解及び掃除をすることが可能である。
【００９４】
以上のようにパイプ３５がその外配置筒部３７と一体のストッパ部４０を有しているにも拘らず、外配置筒部３７の雄ねじ部３８とストッパ部４０との間に、このストッパ部４０に接離される係止部５５を有したロック部材５１を、外配置筒部３７を覆って設けることができる。以上説明した以外の構成、及び以上説明した以外のパイプ３５のまわりの部品の組立て手順は第１実施形態と同じである。
【００９５】
したがって、第４実施形態でも、第１実施形態で説明した理由により本発明の課題を解決できる。加えて、第４実施形態では、ストッパ部４０が外配置筒部３７と一体である。このため、ストッパ部４０がロック部材５１をロック位置に精度よく位置決めする信頼性が高い。これとともに、外配置筒部３７に対するねじの加工数が減るので、ロック部材５１の加工コストを低減することが可能である等の点で、第１実施形態よりも優れている。
【符号の説明】
【００９６】
１１…腕時計（携帯機器：携帯時計）
１２…時計外装体（機器外装体）
３１…凹部
３１ａ…凹部の底面
３３…貫通孔
３５…パイプ
３６…挿入筒部
３７…外配置筒部
３７ａ…外配置筒部の大径部位
３７ｂ…外配置筒部の小径部位
３８…雄ねじ部
３９…他の雄ねじ部
４０…ストッパ部
４０ａ…ストッパ部の中央孔
４１…雌ねじ部
５１…ロック部材
５２…ロック部材の雌ねじ部
５３…ボタン押込み用の凹部
５３ａ…ボタン押込み用凹部の底面
５４…係止部
６１…押しボタン
６２…軸部
６３…ヘッド
６４…止め輪
６５…ヘッドの対向部
６６…ヘッドの目印
７３コイルばね（ばね）
【図１】
0005876316.tif 000002
【図２】
0005876316.tif 000003
【図３】
0005876316.tif 000004
【図４】
0005876316.tif 000005
【図５】
0005876316.tif 000006
【図６】
0005876316.tif 000007
【図７】
0005876316.tif 000008